(57)【要約】【課題】地理的位置の自動特定を有する光ネットワーク終端を提供すること。【解決手段】光ネットワーク終端（ＯＮＴ）装置は、それ自体の地理的位置情報を自動的に特定することができ、したがって、ＯＮＴが、手動的な介入なしに、その地理的位置をパッシブ光ネットワーク（ＰＯＮ）内の管理エンティティに自動的に報告することを可能にする。【選択図】      図１
2005218093.tif 000002
【特許請求の範囲】
【請求項１】
光通信リンクに情報を出力する通信インターフェースと、
装置の現在の地理的位置を示す情報を、手動介入なしに自動的に特定する位置ディターミナと
を含み、
特定された位置情報を光通信リンクに出力するように、前記位置ディターミナが前記通信インターフェースに結合される、光ネットワーク終端装置。
【請求項２】
前記位置ディターミナが、装置の外部にあるソースからさらなる情報を、手動介入なしに自動的に受け取るさらなる通信インターフェースを含む請求項１に記載の装置。
【請求項３】
前記さらなる通信インターフェースが無線通信インターフェースである請求項２に記載の装置。
【請求項４】
前記位置ディターミナがＧＰＳレシーバを含む請求項３に記載の装置。
【請求項５】
前記さらなる情報が、ＧＰＳコンポーネントによって提供された情報を含む請求項３に記載の装置。
【請求項６】
光ネットワーク終端装置を動作させる方法において、
光ネットワーク終端装置の現在の地理的位置を示す情報を、手動介入なしに自動的に光ネットワーク終端装置内で特定するステップと、
光ネットワーク終端装置の外部にある宛先に配信するために、特定された位置情報を出力するステップと
を含む方法。
【請求項７】
前記特定するステップが、光ネットワーク終端装置の外部にあるソースからさらなる情報を、手動介入なしに自動的に受け取るステップを含む請求項６に記載の方法。
【請求項８】
前記受け取るステップが、無線通信インターフェースを介して前記さらなる情報を受け取る請求項７に記載の方法。
【請求項９】
さらなる情報が、ＧＰＳコンポーネントによって提供された情報を含む請求項７に記載の方法。
【請求項１０】
位置情報に応じて光ネットワーク終端装置のプロビジョニングを決定するステップを含む請求項６に記載の方法。
【発明の詳細な説明】
【技術分野】
【０００１】
本発明は、一般に、パッシブ光ネットワークに関し、より詳細には、パッシブ光ネットワークでのサービス起動を容易にすることに関する。
【背景技術】
【０００２】
パッシブ光ネットワーク（ＰＯＮ）は、セントラルオフィスとサービス加入者サイトの間の距離の大部分に亘って、データ、音声、およびビデオのようなサービスのためにファイバーを共用することを可能にする。ＰＯＮは、ＰＯＮ設備に含まれる装置の大部分が小型であり、受動的であるという性質により、配置および運営が非常に安価である。例えば、ＰＯＮのサービス加入者にファイバーを展開するパッシブ光スプリッタは、比較的小さく、電子機器回路を使用せず、電源を必要としない。
【０００３】
現行および新興のＰＯＮソリューションは、複数の需要の高いサービスの組み合わせを配信することのできる、費用効率の高い端末相互間の解決策を提供する。このような現行および新興のＰＯＮソリューションの具体例としては、広帯域ＰＯＮ（ＢＰＯＮ）、イーサネット（登録商標）ＰＯＮ（ＥＰＯＮ）、およびギガビットＰＯＮ（ＧＰＯＮ）があげられる。このようなＰＯＮソリューションを介して提供されるサービスの例としては、各種テレフォニーサービス、データ送信サービス、およびビデオサービスがあげられる。このようなサービス用の信号は、セントラルオフィス（ＣＯ）またはヘッドエンド（ＨＥ）からサービス加入者サイトの光ネットワーク終端ユニット（本明細書ではＯＮＴと称する）まで光学的に搬送される。ＯＮＴは、光ネットワーク終端機能を提供するように構成されており、一部の実施態様では、従来型ネットワークインターフェースデバイスの機能を提供するようにも構成されている。
【０００４】
サービス加入者が、要求したサービスをＰＯＮ経由で受信できるようになる前に、ＯＮＴは、そのサービス加入者サイトにインストールされ、要求したサービスを起動する必要がある。特定のサービス加入者に対してサービスを起動するための従来の手法は、その加入者のＯＮＴのインストールと共に実行される。一般にＣｒａｆｔと呼ばれる現場技術者は、新規加入者サイトでＯＮＴ（例えば、特定のシリアル番号を有するＯＮＴ）の物理的インストールを遂行する。ＯＮＴがインストールされた後、Ｃｒａｆｔは、その加入者のサービスの起動を実行するサービスアクティベータ（すなわち、人）との通信を開始する。この際、Ｃｒａｆｔは、その加入者サイトでの必要に応じて手動プロビジョニングアシスタンスを提供する。ＰＯＮサービスの起動には、要求されたサービスの提供、および提供されるサービスとＯＮＴとの関連付けが含まれる。
【０００５】
顧客サイトでインストールするために任意のＯＮＴを選択することができることにより、運営会社は、迅速かつ効率的なサービスの起動という目標を達成する際にかなりのレベルの柔軟性を得る。任意に選択されたＯＮＴの前述のインストールを可能にするために、ＰＯＮシステムの残りは、新たにインストールされたＯＮＴと、ＯＮＴがインストールされた場所に位置する加入者が要求したサービスを起動するために必要なプロビジョニング情報の特定の組を関連付けるために十分な情報を受け取る必要がある。これを達成するための１つの従来の選択肢は、ＯＮＴのインストーラ（すなわち、Ｃｒａｆｔ）がこの情報をＯＮＴに手動で提供するようにシステムを構成することである。これで、ＯＮＴは、その情報を光回線終端装置（ＯＬＴ：Ｏｐｔｉｃａｌ  Ｌｉｎｅ  Ｔｅｒｍｉｎａｌ）および／またはシステム内のいかなる他の管理エンティティにでも提供することができる。これで、プロビジョニングと新たにインストールされたＯＮＴとの適切な関連付けが、システムによって自動的に行うことができるようになる。
【０００６】
いくつかの従来のシステムでは、インストーラによって手動で提供される情報は、サイト識別子またはＯＮＴがインストールされている地理的位置を特定する他の情報である。次いで、ＯＮＴは、このサイト識別子／位置情報を、それ独自の識別情報（例えば、そのシリアル番号）と共にシステムのＯＬＴ／管理エンティティに送信する。ＯＮＴ識別子およびサイト識別子に応じて、システムのＯＬＴ／管理エンティティは、プロビジョニングと新たにインストールされたＯＮＴとの関連付けのプロセスを自動的に実行することができる。
【０００７】
インストーラは、いくつかの異なる種類のデバイスを利用して、サイト識別子／地理的位置情報をＯＮＴ、例えばバットエンドデバイス（ｂｕｔｔ  ｅｎｄ  ｄｅｖｉｃｅ）または他の類似のデバイス、またはイーサネット（登録商標）ＲＳ  ２３２ベースの入力デバイスに手動で提供することができる。しかし、ＯＮＴへの手動アクセスを提供するいかなるこのような機構でも、保安上の危険を意味するものである。何故ならば、サイト識別子／地理的位置情報を提供するために使用されるアクセスポートは、無許可ユーザにも使用可能であるからである。このような保安上の危険を回避する１つの方法としては、インストーラが、サイト識別子／地理的位置情報をＯＮＴに提供せずに、サイト識別子／地理的位置情報をシステムのＯＬＴ／管理エンティティに直接報告するというものがある。この場合、ＯＮＴは、インストーラがサイト識別子／地理的位置情報をＯＮＴに手動で提供することを可能にするいかなる機構（または、それに付随した保安上の危険）をも必要としない。
【発明の開示】
【発明が解決しようとする課題】
【０００８】
前述の観点からすると、サイト識別子をＯＮＴに手動入力せず、またインストーラにサイト識別子をＯＬＴ／管理エンティティに手動で報告することを要求せずに、ＯＮＴの識別およびそのサイト識別子をＯＬＴ／管理エンティティに提供することができることが望ましい。
【課題を解決するための手段】
【０００９】
本発明の実施形態は、ＯＮＴがそれ自体の地理的位置情報を自動的に特定することを可能にする。したがって、ＯＮＴは、手動的な介入なしに、その識別およびその地理的位置情報をＯＬＴ／管理エンティティに自動的に報告することができる。
【発明を実施するための最良の形態】
【００１０】
次に図１を参照すると、本明細書で開示したメソッドプロセスおよび動作を遂行することのできる、広帯域パッシブ光ネットワーク（ＢＰＯＮ）システム７００が示されている。ＢＰＯＮシステム７００は、セントラルオフィス装置７０５、加入者サイト装置７１０、およびこれらを相互接続するファイバー分配装置７１５を含む。情報は、セントラルオフィス装置７０５と加入者サイト装置７１０の間でファイバー分配ネットワーク７１５を介して双方向に送信される。
【００１１】
ＢＰＯＮシステム、すなわちパッシブ光ネットワーキングシステムの現在の国際基準は、ＰＯＮと波長分割多重方式（ＷＤＭ）ソリューションの組み合わせである。ＰＯＮは、セントラルオフィスとサービス加入者サイトの間の距離の大部分に亘る、データ音声およびビデオのような、サービスのためのファイバーの共用を可能にする。波長分割多重方式（ＷＤＭ）は、光信号を異なる色彩（すなわち、波長）に分割し、単一ファイバーを介した双方向伝送を可能にする。ＷＤＭは、多重化方式および逆多重化方式の技術を使用して、サービス加入者サイトとの複数の伝送が同一ファイバーを介して異なる光の色として伝わることを可能にする。したがって、これにより、単一ファイバー接続が複数のサービス加入者にサービスを提供することが可能になる。光の各色彩は、それ独自の波長とそれ独自の周波数を有する。そのファイバーの両端にある電子装置は、異なる信号をそれらの色彩で区別することができる。したがって、ファイバー分配装置７１５の１つのファイバーを介して第１の方向に（例えば、加入者サイト装置７１０に向けて）情報を送信するために光の第１の波長（すなわち、第１の色）を使用し、ファイバー分配装置７１５の１つのファイバーを介して第２の方向に（例えば、セントラルオフィス装置７０５に向けて）情報を送信するために光の第２の波長（すなわち、第２の色）を使用することができる。
【００１２】
セントラルオフィス装置７０５は、加入者サイト装置７１０とコアネットワーク（すなわち、インターネットおよびプライベートネットワークのような様々な公共ネットワークを含むネットワーク）との間での情報の伝送を容易にする。セントラルオフィス装置７０５は、ＷＤＭデバイス７２０、ＯＬＴ  ７２５、要素管理システム（ＥＭＳ）７３０、および情報記憶デバイス７３５を含む。ＷＤＭデバイス７２０は、上記のようなＷＤＭ機能を提供するように構成されている。ＯＬＴは、コアネットワークと加入者との間の広帯域パケットトラフィックの集束とグルーミングを実行するために、ネットワーク側インターフェースと光アクセスマルチプレクサのような機能とを提供する。ＥＭＳ  ７３０は、数組のＯＬＴを（例えば、本明細書で開示するメソッド、プロセス、および／または動作の少なくとも一部を容易にすることができるソフトウェアを介して）管理するソフトウェアを含む。情報記憶デバイス７３５は、ＢＰＯＮシステム７００の各ＯＬＴおよび／またはＯＮＴに対応する、情報インスタンス生成の記憶スペース（例えば、データベースレコード）を提供する。
【００１３】
加入者サイト装置７１０は、加入者サイトの１つまたは複数のネットワークアクセスデバイス７４５とファイバー分配装置７１５との間に接続されたＯＮＴ  ７４０を含む。ＯＮＴ  ７４０は、加入者サイトのそのような１つまたは複数のネットワークアクセスデバイス７４５に情報を提供し、かつ／またはそこから情報を送信する、ネットワークインターフェースデバイスである。コンピュータ、電話機、テレビジョンなどは、そのようなネットワークアクセスデバイス７４５の一例である。ＢＰＯＮシステム７００の少なくとも１つの実施形態では、ＯＮＴ  ７４０は、本明細書で開示するメソッド、プロセス、および／または動作の少なくとも一部を容易にすることのできるソフトウェアを含む。
【００１４】
ファイバー分配装置７１５は、光ファイバーケーブル、スプライシングエンクロージャ、ファイバー分配キャビネット／エンクロージャ、ドロップボックスなどを含む。ファイバー分配装置７１５の有利な態様は、パッシブ要素だけを含むものである。一実施形態では、ファイバー分配装置は、一対多方向下りファイバーネットワーク（すなわち、加入者サイト装置７１０向き）、および多対一方向上りファイバーネットワーク（すなわち、セントラルオフィス装置７０５向き）を示す。
【００１５】
上記で開示したＢＰＯＮシステム７００のようなＢＰＯＮシステムは、本明細書で開示したメソッド、プロセス、および／または動作を実施することのできるＰＯＮシステムの一例を示すものである。本明細書では、この他の現行の、新興の、およびまだ開発中のＰＯＮソリューションが、本明細書で開示したメソッド、プロセス、および／または動作を遂行することもできると仮定している。ＥＰＯＮおよびＧＰＯＮシステムは、本明細書で開示したメソッド、プロセス、および／または動作を遂行することのできる、そのような他のＰＯＮソリューションの一例である。
【００１６】
図２は、図１のＯＮＴ  ７４０の実施形態を示す図である。図２のＯＮＴは、ＯＮＴの外部ソースから情報を取得するために外部インターフェース２５を使用する、位置ディターミナ２２を含む。位置ディターミナは、外部から提供された情報を使用して、ＯＮＴの現在の地理的位置を、手動介入または補助なしに自動的に特定する。位置ディターミナ２２は、インストレーションコントローラ２１に連結される。インストレーションコントローラ２１は、概してＯＮＴインストールのプロセスを監督するものである。位置ディターミナ２２は、ＯＮＴの地理的位置を一度特定すると、この地理的位置情報をインストレーションコントローラ２１に提供する。これで、インストレーションコントローラ２１は、その地理的位置情報を、ＯＮＴの識別子およびＯＮＴをインストールし起動するプロセスに関わる可能性のあるいかなる他の情報と共に、ＯＬＴ／管理エンティティに（ファイバー分配７１５を介して）転送することができる。
【００１７】
ＯＮＴに電源が投入され、再起動されると、位置ディターミナ２２は、手動介入または補助なしに自動的に、外部インターフェース２５を使用して外部情報を取得することができ、次に、手動介入または補助なしに自動的に、この外部情報を使用して所望の位置情報を特定することができる。インストレーションコントローラ２１は、位置ディターミナ２２からこの位置情報を受け取り、この位置情報を上記のようにＯＬＴ／管理エンティティに転送する。いくつかの実施形態では、インストレーションコントローラ２１は、位置ディターミナ２２との上記の対話以外にも、一般的な従来の技術を利用してＯＮＴのインストールおよび起動を監督することができる。
【００１８】
いくつかの実施形態では、位置ディターミナ２２は、従来の全地球測位システム（ＧＰＳ）レシーバであり、外部インターフェース２５は、ＧＰＳのコンポーネントとの従来のＧＰＳ情報のやり取りのための、関連付けられた無線通信インターフェースである。位置ディターミナ２２からインストレーションコントローラ２１に提供された位置情報は、ＧＰＳコンポーネントから受け取った情報に応じてＧＰＳレシーバが作成する緯度と軽度の座標を含む。
【００１９】
再び図１を参照すると、いくつかの実施形態では、ＯＬＴ  ７２５がＯＮＴ識別子およびＯＮＴ位置情報を受け取ると、ＯＬＴ  ７２５は、一般的な従来の技術を利用して、ＯＮＴ識別子およびＯＮＴ位置情報に基づいてＯＮＴのプロビジョニングを続行することができる。
【００２０】
図３は、本発明による図１および２のシステムによって実行することのできる、動作の例を示す。３１での再起動または電源投入後、３３で、ＯＮＴはその位置を自動的に特定し、その後、３５で、その位置情報をＯＬＴに報告する。３７で、ＯＮＴは、ＯＬＴがＯＮＴから受け取った位置情報に応じてＯＬＴが特定したサービスプロビジョニング情報を、ＯＬＴから受け取る。
【００２１】
当業者には、図１〜３の実施形態が、例えば従来型ＰＯＮシステムのソフトウェア、ハードウェア、またはその両方における適切な修正により、容易に実施することができることが理解されよう。
【００２２】
本発明の実施形態を詳細に説明したが、これは、様々な実施形態で実施することのできる、本発明の範囲を限定するものではない。
【図面の簡単な説明】
【００２３】
【図１】本発明による、ＢＰＯＮシステムの実施形態を示す図である。
【図２】本発明による、図１のＯＮＴの実施形態を示す図である。
【図３】図１および２のシステムによって実行することのできる動作を示す図である。
【符号の説明】
【００２４】
７００  広帯域パッシブ光ネットワークシステム
７０５  セントラルオフィス装置
７１０  加入者サイト装置
７１５  ファイバー分配装置
７２０  ＷＤＭデバイス
７３５  情報記憶デバイス
７４５  ネットワークアクセスデバイス
【図１】
2005218093.tif 000003
【図２】
2005218093.tif 000004
【図３】
2005218093.tif 000005
【外国語明細書】
2005218093.tif 000006
2005218093.tif 000007
2005218093.tif 000008
2005218093.tif 000009
2005218093.tif 000010
2005218093.tif 000011
2005218093.tif 000012
2005218093.tif 000013
2005218093.tif 000014
2005218093.tif 000015
2005218093.tif 000016
2005218093.tif 000017
2005218093.tif 000018
2005218093.tif 000019